(57)【特許請求の範囲】
【請求項１】
板状の止水板の開口部に円筒状の通水管を一体に固定し、上記通水管にこの通水管の開口部を開閉可能に密閉する蓋部材を取り付け、上記止水板を、プレキャストコンクリート製のベンチフリュームに形成された水門取付部に係止し、上記水門取付部の上記止水板開口部とは反対側の上記通水管開口部にコンクリート型枠板を当接させ、このコンクリート型枠と上記止水板の間にコンクリートを打設して、上記止水板と上記ベンチフリュームを一体にすることを特徴とする水門の施工方法。
【発明の詳細な説明】
【０００１】
【発明の属する技術分野】
この発明は、田畑の側方等に設けられる比較的小さい用水路を分岐する水門の施工方法に関する。
【０００２】
【従来の技術】
従来、水田等の取水に用いる用水路は、地面に用水を流す溝を形成し、この溝の側縁部に土を盛り上げて畦を形成していた。また、用水路の分岐点では、畦を切除して側方に延出する溝が設けられていた。そして、畦の切除部には切除部の幅よりもわずかに長い板を横にした状態で積み上げて閉鎖し、必要に応じて板の枚数や高さ調節し水量を調整して取水していた。
【０００３】
また用水路には、プレキャストコンクリート製で断面が溝形状のブロック（以下ベンチフリュームと称す）を連続して設置し用水溝を形成するものもあり、この場合、用水路の分岐点には、水門取付部が形成されたベンチフリュームが設置されていた。この水門取付部はベンチフリュームの側面が切除された切除部と、この切除部の周縁部に形成されベンチフリュームの外側へ突出する突出部が一体に形成されたものである。そして、水門取付部の側面内側に円筒状の通水管がコンクリートに埋設され、ベンチフリュームを貫通していた。そして、通水管の開口部には止水板がこのベンチフリュームに着脱自在に取り付けられ、水門となっていた。そして、必要に応じて止水板の蓋部材を移動させて通水管の開口部の面積を調整し、水量調節して取水していた。
【０００４】
【発明が解決しようとする課題】
上記従来の技術の前者の場合、土の畦と板は密着せず、完全に用水を堰き止めることはできず、用水の水位の管理を正確に行うことは難しく、畦が崩れやすいものであった。
【０００５】
また、従来の技術の後者の場合、水門取付部のコンクリート打設時に通水管のずれが発生する等、水門の施工が難しく、手間と時間がかかるものであった。また、止水板は用水路に固定されていないため、盗難に遭うこともあり、蓋部材も外れやすいものであった。
【０００６】
この発明は上記従来の問題点に鑑みてなされたものであり、施工が簡単で、畦等においても確実に水量調節することができる水門の施工方法を提供することを目的とする。
【０００７】
【課題を解決するための手段】
この発明は、プレキャストコンクリート製のベンチフリュームにコンクリートとともに一体に取り付けられた止水板と、上記止水板に接続され上記コンクリートを貫通する筒状の通水管と、この通水管の開口部を開閉自在に密閉する蓋部材が設けられている水門である。
【０００８】
上記蓋部材と上記通水管の一方に、他方の部材に密着するゴム製のパッキン等の水密材が設けられている。また、上記止水板には、上記蓋部材をこの止水板に沿って一方向に移動可能に案内する断面Ｌ字状等のガイド突起が一対設けられ、上記一対のガイド突起は上記通水管の開口部を挟んでその周縁部に設けられ、上記ガイド突起の上記止水板表面から突出する量は上記通水管付近で小さくなり、上記蓋部材は上記ガイド部材に沿って上記止水板に押し付けられるように形成されている。
【０００９】
そして、上記蓋部材には上方に延出する棒部材が回転可能に取り付けられ、この棒部材の先端にはハンドルが設けられている。上記棒部材の側面には、この棒部材の長手方向に対してほぼ直角に突出する係止突部が設けられている。そして、この棒部材は、上記ベンチフリュームに設けられた係止部の透孔に挿通され、この透孔には上記棒部材の上記係止突部が通過可能な溝部が形成されている。そして上記棒部材の係止突部は、上記ベンチフリュームの係止部に当接してハンドルを係止し、上記通水管の開口部に対する上記蓋部材の位置を固定する。
【００１０】
さらにこの発明は、板状の止水板の開口部に円筒状の通水管を一体に固定し、上記通水管にこの通水管の開口部を開閉可能に密閉する蓋部材を取り付け、上記止水板を、プレキャストコンクリート製のベンチフリュームに形成された水門取付部に係止し、上記水門取付部の上記止水板開口部とは反対側の上記通水管開口部にコンクリート型枠板を当接させ、このコンクリート型枠と上記止水板の間にコンクリートを打設して、上記止水板と上記ベンチフリュームを一体にする水門の施工方法である。
【００１１】
この発明の水門は、プレキャストコンクリート製のベンチフリュームに対して、止水板をコンクリートとともに一体に取り付け、用水路と一体の水門を作る。止水板には、通水管と蓋部材が予め設けられ、現場の施工工程を少なくしたものである。
【００１２】
【発明の実施の形態】
以下、この発明の実施形態について図面に基づいて説明する。図１〜図６は、この発明の一実施形態の水門１０を示すもので、水門１０は、プレキャストコンクリート製のベンチフリューム１２を並べて作られた用水路に設けられるもので、用水路が分岐する地点に、水門取付部１３が形成されているベンチフリューム１２が設置されている。水門取付部１３には、ベンチフリューム１２の側面が上方に開口されて切除された切除部１４と、切除部１４の周縁部に形成されベンチフリューム１２の外側へ突出する側面部１６が形成されている。側面部１６の垂直な一対の内側側面１６ａには、互いに対向する位置に上下方向に形成された凹部１８が設けられている。
【００１３】
ベンチフリューム１２の水門取付部１３の側面部１６には、金属製の止水板２０が取り付けられ、側面部１６の内側側面１６ａの凹部１８に止水板２０の両側縁部が差し込まれている。止水板２０の両側縁部はＬ字形に折り曲げられ、凹部１８の内側に嵌合されている。
【００１４】
止水板２０の中央よりも少し下方寄りには、円形の透孔２２が設けられている。透孔２２には、止水板２０の裏側面２０ａから円筒状の通水管２４が溶接により取り付けられている。通水管２４の長手方向の長さは、その端面開口部が、ベンチフリューム１２の水門取付部１３側面１６の外側面１６ｂと面一になる程度の長さである。
【００１５】
止水板２０の表側面２０ｂには、透孔２２の両脇に断面Ｌ字状のガイド突起２６が設けられていた。ガイド突起２６は、後述する蓋部材３４の両端部を係止する互いに平行な一対の長尺部材であり、一対のガイド部材は通水管２４を挟んで対称に設けられ、そしてガイド突起２６の長手方向は垂直に位置している。ガイド突起２６の水平方向の断面形状は、止水板２０に対して直角に立ち上がる側面２６ａと、側面２６ａの先端に連続し一対のガイド突起２６が互いに近づく方向へほぼ直角に折り曲げられた折曲部２６ｂが設けられている。ガイド突起２６の側面２６ａの止水板２０から突出する量は、蓋部材３４がゆとりを有して嵌合される間隔に設定されている。そして、ガイド突起２６の側面２６ａの高さは通水管２４に近づくにつれて徐々に止水板２０に近づくように低く形成され、蓋部材３４が通水管２４に近づくにつれて止水板２０に押し付けられ、透孔２２に当接する位置では蓋部材３４は止水板２０に押圧されるように形成されている。
【００１６】
止水板２０の上端面には、止水板２０の表側面２０ｂ側に直角に突出する板状の係止部２８が一体に設けられている。係止部２８の中央には、係止部２８を上下に貫通する透孔３０と、透孔３０に連続して形成され透孔３０の半径方向に延出する溝部３２が設けられている。
【００１７】
また、一対のガイド部材２６の内側には、円板状の蓋部材３４が移動可能に設けられている。蓋部材３４の両端部には、板状の保持部３５が側方に一体に突出して形成され、保持部３５がガイド突起２６の折曲部２６ｂの内側に差し込まれて嵌合されている。蓋部材３４の大きさは、ベンチフリューム１２の透孔２２より大きく形成され、蓋部材３４の透孔２２側の面には、透孔２２の外側に当接するリング状のゴム製パッキン３６が取り付けられている。
【００１８】
蓋部材３４の透孔２２と反対側の面には、蓋部材３４の中央に、板状の係止部３８が側方に突出して一体に設けられている。係止部３８の中央には、係止部３８を上下に貫通する透孔４０が形成されている。係止部３８の透孔４０には、ハンドル４２の柄となる棒部材４４の下端部が差し込まれ、棒部材４４の下端部には雄ねじが形成され、係止部３８を挟んでナット４６が各々２個取り付けられている。各々２個のナットは互いに近づく方へ締め付けられているため棒部材４４に沿って移動することがなく、棒部材４４は係止部３８を挟んで蓋部材３４に固定されている。また、蓋部材３４の係止部３８の上方には、板状の係止部４７が側方に突出して一体に設けられ、係止部４７の中央には係止部４７を上下に貫通する透孔が設けられている。係止部４７の透孔には、棒部材４４が挿通している。
【００１９】
棒部材４４の側面には、棒部材４４の上下長手方向に離れた３カ所に、側方に突出する係止突部４８が設けられている。各係止突部４８は、止水板２０上端面に設けられた係止部２８の溝部３２に挿通可能な大きさに形成されている。そして、棒部材４４の上端部には、棒部材４４に対して直角に設けられたハンドル部５０が取り付けられている。
【００２０】
また、止水板２０の裏側面２０ａと、ベンチフリューム１２の側面部１６の内側側面１６ａ、及び止水板２０の透孔２２とは反対側の通水管２４の開口部側端面とで囲まれた内側には、コンクリート５２が打設されている。そして、通水管２４は、コンクリート５２を貫通している。
【００２１】
次に、この実施形態の水門１０の施工方法について説明する。まず、地面を掘り下げて溝部を形成し、溝部の底を整地した後、プレキャストコンクリート製のベンチフリュームを連続して並べてコンクリートで連結し、用水路を形成する。そして、この分水用のベンチフリューム１２の側面部１６の凹部１８に、止水板２０の両側縁部を差し込んで係止する。止水板２０は、予め通水管２４が溶接され、蓋部材３４は移動可能に取り付けられている。そしてベンチフリューム１２の側面部１６外側面１６ｂに、止水板２０に対してほぼ並行に図示しないコンクリート型枠を取り付ける。このとき、コンクリート型枠には通水管２４の先端部が当接している。そして、コンクリート型枠と止水板２０の内側にコンクリート５２を打設し、コンクリート５２が硬化した後、コンクリート型枠を外す。
【００２２】
次に、この実施形態の水門１０の使用方法について説明する。まず、通水管２４を閉じるときは、ハンドル４２を押し下げて蓋部材３４を透孔２２に当接させる。このとき、ハンドル４２を軸回りに回転させ、ハンドル４２の棒部材４４の係止突部４８を止水板２０上端面に設けられた係止部２８の溝部３２に一致させ、挿通すると、ハンドル４２は自由に上下する。そして、蓋部材３４が透孔２２に当接する位置にきたとき、ガイド突起２６の側面２６ａの高さは低く形成されているため、蓋部材３４の保持板３５はガイド突起２６の折曲部２６ｂに押圧され止水板２０に押し付けられる。そして、蓋部材３４のパッキン３６は透孔２２の周囲の止水板２０に密着し、水密になる。
【００２３】
また、通水管２４を解放して取水する場合は、ハンドル４２を引き上げて蓋部材３４を透孔２２よりも上に移動させ、透孔２２を解放する。解放する面積は、蓋部材３４の移動量で調節することができる。ハンドル４２を軸回りに回転させ、係止突部４８をベンチフリューム１２の係止部２８溝部３２に一致しない位置にすると、係止突部４８は係止部２８の上面に係止され、蓋部材３４の位置を係止することができる。係止突部４８は３カ所に取り付けられているため、図６に示す３段階の解放面積で取水量を設定することができる。
【００２４】
この実施形態の水門１０によれば、簡単な構造で確実に止水することができ、また簡単な操作で正確に取水量調節を行うことができる。さらに、止水板２０を、ベンチフリューム１２の堰溝を利用して取り付けるため、容易に施工することができる。止水板２０はステンレス製で丈夫であり、また止水板２０には予め通水管２４が溶接により一体化されているため、現場施工時に誤差を生じることが無く、安全で確実な施工が可能である。そして、止水板２０は、コンクリート５２が打設されてベンチフリューム１２に一体化しているため、耐久性があり、また盗難等を防ぐことができる。蓋部材３４は、ハンドル４２の棒部材４４にダブルナットで取り付けられているため、脱落する心配が無く安全に操作することができる。
【００２５】
なお、この発明の水門は上記実施形態に限定されるものではなく、通水管や蓋部材、ハンドル等各部材の形状は、自由に設定可能である。また、止水板や蓋部材の素材も自由に変更可能である。
【００２６】
【発明の効果】
この発明の水門は、コンクリート製のベンチフリュームに、予め通水管と蓋部材が取り付けられた止水板を、コンクリートにより一体に取り付けるため、簡単で正確に施工することができる。このコンクリートの打設も、ベンチフリュームの水門取付部及び通水管の他端部に型枠を当接するだけで簡単に行うことができ、施工工数も大幅に削減することができる。また、蓋部材は、水密材を介して通水管を閉鎖することにより、正確に取水量を調整することができる。
【図面の簡単な説明】
【図１】  この発明の一実施形態の水門の斜視図である。
【図２】  この実施形態の水門の部分破断の正面図である。
【図３】  この実施形態の水門の平面図である。
【図４】  図３のＡ−Ａ線断面図である。
【図５】  図３のＢ−Ｂ線断面図である。
【図６】  この実施形態の水門の使用状態を示す正面図である。
【符号の説明】
１０  水門
１２  ベンチフリューム
１４  切除部
１３  水門取付部
１６  側面部
１８  凹部
２０  止水板
２２，３０，４０，  透孔
２４  通水管
２６  ガイド突起
２８，３８，４７  係止部
３２  溝部
３４  蓋部材
３６  パッキン
４２  ハンドル
４４  棒部材
４６  ナット
４８  係止突部
５２  コンクリート
【図１】
0004370044.tif 000002
【図２】
0004370044.tif 000003
【図３】
0004370044.tif 000004
【図４】
0004370044.tif 000005
【図５】
0004370044.tif 000006
【図６】
0004370044.tif 000007